(57)【特許請求の範囲】
【請求項１】
固形またはゲル状の二酸化塩素を収納する筒状の容器と、この筒状の容器の外周に巻かれて二酸化塩素を容器の外側から直接的に加熱するヒータと、二酸化塩素の加熱によって蒸発した二酸化塩素ガスを運び去る空気流を発生するためのファンとを備えた二酸化塩素式殺菌消臭装置において、容器が金網または多数の穴を有し、この金網または多数の穴を経て空気流が容器内を通過することを特徴とする二酸化塩素式殺菌消臭装置。
【請求項２】
容器の上側が開放しているかまたは容器の上側部分が多数の穴を有し、この開口または穴を経て空気流が二酸化塩素ガスを運び去ることを特徴とする請求項１記載の二酸化塩素式殺菌消臭装置。
【発明の詳細な説明】
【０００１】
【発明の属する技術分野】
本発明は、二酸化塩素ガスを対象物に接触させることによって殺菌、消臭および消毒するための二酸化塩素式殺菌消臭装置に関する。
【０００２】
【従来の技術】
二酸化塩素は、殺菌・消臭にきわめて優れていること以前から認められていたが、取り扱いの難しさから使用が限定されていた。そこで誰でも安心して使用できるように開発されたのが安定化二酸化塩素（ClO2)(以下、単に二酸化塩素という) である。
【０００３】
厚生労働省でもこの有効性を認め、次亜塩素酸ソーダに代わってプール用殺菌剤として0.1 〜0.4ppmでの使用、小麦粉の殺菌・漂白に許可している。近年二酸化塩素は、次亜塩素酸に代わるものとして、全市場に採用拡大傾向にある。
【０００４】
諸外国では、安全性と有効性が確認されており、水道水、航空機内飲料水、食品の殺菌、鮮度維持、各種工場・事業所の排水処理、クリーニング等幅広い用途で使用されている。
【０００５】
この二酸化塩素を用いた殺菌消臭装置が特開平１１−２８５５２５号公報によって知られている。この装置は、ゲル状の二酸化塩素を収納する容器と、空気を加熱する温度調節器付ヒータと、このヒータによって暖められた空気をゲル状二酸化塩素収納容器に吹き込むファンとを備えている。
【０００６】
この装置は、空気を加熱して二酸化塩素に吹きつけ、この空気の熱によって二酸化塩素ガスを蒸発させる。そのため、空気を加熱するのに大型のヒータ( 例えば300 〜500W) を使用する必要があり、電力消費が多く、冷暖房の空調に影響を与えるという欠点がある。
【０００７】
更に、空気を二酸化塩素に吹きつけて二酸化塩素ガスを蒸発させる構造のため、空気の案内通路が複雑で、大きなスペースを必要とする。
【０００８】
【発明が解決しようとする課題】
そこで、本発明の課題は、電力消費が少なくて済み、構造が簡単で省スペース的な二酸化塩素式殺菌消臭装置を提供することである。
【０００９】
【課題を解決するための手段と発明の効果】
この課題は、固形またはゲル状の二酸化塩素を収納する容器と、この二酸化塩素を容器の外側から直接的に加熱するヒータと、二酸化塩素の加熱によって蒸発した二酸化塩素ガスを運び去る空気流を発生するためのファンとを備えた二酸化塩素式殺菌消臭装置によって解決される。
【００１０】
本発明による二酸化塩素式殺菌消臭装置は、二酸化塩素をその収納容器の外側からヒータによって直接的に加熱するようにしたので、ヒータの電力消費が少なくて済み、従ってヒータを例えば１２Ｗとすることができる。
【００１１】
更に、発生した二酸化塩素ガスを空気流で運び去るために、コンパクトな二酸化塩素ガス発生装置をこの空気流内に配置するだけでよいので、本装置は構造が簡単で省スペース的である。
【００１２】
更に、固形の二酸化塩素を容器に収納する場合、容器が金網または多数の穴を有し、この金網または穴を経て空気流が容器内を通過するようにすることが望ましい。
【００１３】
更に、ゲル状の二酸化塩素を容器に収納する場合、容器の上側が開放しているかまたは容器の上側部分が多数の穴を有し、この開口または穴を経て空気流が二酸化塩素ガスを運び去るようにすることが望ましい。
【００１４】
【発明の実施の形態】
次に、図を参照して本発明の実施の形態による二酸化塩素式殺菌消臭装置を詳しく説明する。
【００１５】
図１は二酸化塩素式殺菌消臭装置全体の斜視図、図２は水平断面図である。本装置は左側に空気入口１を備えている。この空気入口１からファン２によって装置内に吸い込まれた空気は、二酸化塩素ガス発生器３の周りとその中を通過し、二酸化塩素ガスと共に、装置右側の出口４から排出される。この場合、空気入口１にフィルタを設けてもよい。
【００１６】
図３は二酸化塩素ガス発生器３の斜視図、図４は縦断面図である。この二酸化塩素ガス発生器３は錠剤のような固形の二酸化塩素５を収納する容器６と、二酸化塩素を加熱するためのヒータ７と、断熱材８とを備えている。
【００１７】
固形の二酸化塩素５を加熱することによって二酸化塩素ガスが蒸発する。この二酸化塩素ガスの、温度に対する濃度変化を図５に示す。この図５から判るように、約３０°Ｃで濃度が最も高い。
【００１８】
容器６は金属製の筒９と、この筒の上端にねじ込み装着可能なキャップ１０と、筒状金網１１とからなっている。筒９の上部とキャップ１０の上面には穴１２，１３が形成されている。それによって、空気は筒状金網１１と穴１２，１３を経て容器６を通過可能である。
【００１９】
ヒータ７は電力消費が少ない（例えば１２ワットの）リボンヒータとして形成されている。ヒータ７は更に、或る温度以上に温度が上がらないようにするための自己温度調節機能を有する。ヒータ７は金属製の筒９の周りに巻付けられ、この筒９を介しての熱伝導によって二酸化塩素５を加熱する。図４にはヒータ７用のプラグコード１４が示してある。
【００２０】
ヒータ７は断熱材８によって周囲を覆われている。この断熱材８と、同様に断熱材によって形成された台１５との間に、上記の筒状金網１１が装着されている。
【００２１】
上記構造の二酸化塩素式殺菌消臭装置は、殺菌消臭すべき空間内に配置されるかまたはその出口４を殺菌消臭すべき対象に向けて配置される。装置のスイッチを入れることにより、ヒータ７が二酸化塩素５を加熱し、ファン２が空気流を発生する。二酸化塩素５の加熱により、二酸化塩素ガスが蒸発する。空気入口１から吸い込まれた空気は、この二酸化塩素ガス発生器３の周りとその中を通過することにより、二酸化塩素ガスを一緒に運んで出口４から排出する。この二酸化塩素ガスは上記の空間または対象を殺菌する。
【００２２】
本発明の二酸化塩素ガス殺菌消臭装置は特に、食品工場、例えば精肉工場、病院、例えば寝たきり老人の居住、乗り物の室内を殺菌消臭するために適しているが、その他の殺菌消臭にも勿論使用可能である。
【００２３】
上記の実施の形態では、二酸化塩素５として固形のものを使用したが、ゲル状の二酸化塩素を用いてもよい。このゲル状の二酸化塩素も本発明に従ってヒータで直接的に加熱される。そのために、ゲル状の二酸化塩素を収納する容器６は、収納のために下側が閉鎖され、そして蒸発した二酸化塩素ガスを空気によって運び去ることができるようにするために、上側が開放しているかまたは上側部分に多数の穴を有する。
【図面の簡単な説明】
【図１】二酸化塩素式殺菌消臭装置全体の斜視図である。
【図２】図１の二酸化塩素式殺菌消臭装置の水平断面図である。
【図３】二酸化塩素ガス発生器の斜視図である。
【図４】図３の二酸化塩素ガス発生器の縦断面図である。
【図５】温度に対する二酸化塩素ガスの濃度変化を示すグラフである。
【符号の説明】
１                  空気入口
２                  ファン
３                  二酸化塩素ガス発生器
４                  出口
５                  二酸化塩素
６                  容器
７                  ヒータ
８                  断熱材
９                  金属製の筒
１０                キャップ
１１                筒状金網
１２，１３          穴
１４                プラグコード
１５                台
【図１】
0004850373.tif 000002
【図２】
0004850373.tif 000003
【図３】
0004850373.tif 000004
【図４】
0004850373.tif 000005
【図５】
0004850373.tif 000006